(57)【要約】【課題】着信時に発信元の属性を容易に判別可能な通信装置を提供すること。【解決手段】通信装置１は、キー１２、液晶表示部１３等と共に発光部１４を備えている。発光部１４は、光出射窓１７ａを点灯させる多色ＬＥＤを備えている。多色ＬＥＤは、発光色が互いに異なる複数の単色ＬＥＤを備えており、通信装置１内の制御回路によって発光駆動される。制御回路は、着信時にその発信元の属性が「発信元番号非通知」、「公衆電話」、「登録済み番号」の何れであるかを判別し、その判別結果に応じて、多色ＬＥＤを構成している複数の単色ＬＥＤを選択的に発光させる。多色ＬＥＤが発光することにより、光出射窓１７ａが点灯する。したがって、着信時に使用者が通信装置１から離れている場合でも、光出射窓１７ａの点灯色によって発信元の属性を容易に判別することができる。【選択図】    図１
2004165795.tif 000002
【特許請求の範囲】
【請求項１】
発光色が互いに異なる複数の単色発光素子によって構成される多色発光素子と、
着信時に発信元の属性に応じた発光色で前記多色発光素子を発光駆動する発光駆動手段と、
を備えたことを特徴とする通信装置。
【請求項２】
光透過性の材質によって形成されたキー操作部を備え、
前記多色発光素子を前記キー操作部の背後に設けたことを特徴とする請求項１記載の通信装置。
【請求項３】
光透過性の材質によって形成された複数のキー操作部と、
前記複数のキー操作部の背後に各々設けられた複数の発光素子と、
前記複数のキー操作部それぞれに発信元の属性が割り当てられ、着信時には発信元の属性に応じて前記複数の発光素子のいずれか１つを選択的に発光駆動する発光駆動手段と、を備えたことを特徴とする通信装置。
【請求項４】
前記複数の発光素子の各発光素子は、単色で発光する単色発光素子であることを特徴とする請求項３記載の通信装置。
【発明の詳細な説明】
【０００１】
【発明の属する技術分野】
本発明は、着信時に発信元の属性を容易に判別可能な通信装置に関する。
【０００２】
【従来の技術】
従来、着信時に発信元の電話番号を液晶表示部に表示する機能を備えた通信装置が知られている。また、発信元の電話番号が予めメモリに登録されている場合に、その電話番号と共にメモリ内に登録されている名前を液晶表示部に表示する機能を備えたものもある。
【０００３】
【特許文献１】
特開平１１−２４３４３９号公報
【０００４】
【発明が解決しょうとする課題】
しかし、上記説明した従来の通信装置では、着信時に使用者が通信装置から離れている場合、通信装置に近寄って液晶表示部を覗き込まなければ、その発信元の属性が「番号非通知」、「公衆電話」、「登録済み番号」の何れであるかを判別できない。また、コードレス通信装置の子機においては液晶表示部の表示面積が小さいため、子機を手元まで持ってこないと発信元の属性を判別することができない。したがって、着信時に発信元の属性を容易に判別可能な通信装置が求められていた。
【０００５】
本発明は、上記従来の要望に鑑みてなされたものであって、着信時に発信元の属性を容易に判別可能な通信装置を提供することを目的としている。
【０００６】
【課題を解決するための手段】
上記目的を達成するために、本発明に係る通信装置は、発光色が互いに異なる複数の単色発光素子によって構成される多色発光素子と、着信時に発信元の属性に応じた発光色で前記多色発光素子を発光駆動する発光駆動手段と、を備えている。したがって、着信時に使用者が当該通信装置から離れている場合でも、どの色で多色発光素子が発光しているかによって発信元の属性を容易に判別することができる。
【０００７】
また、本発明に係る通信装置は、光透過性の材質によって形成されたキー操作部を備え、前記多色発光素子を前記キー操作部の背後に設けている。したがって、多色発光素子をキー操作部のバックライトと共用することができるので、当該通信装置の筐体のサイズを大きくすることなく、また発光素子の数を増やすことなく、着信時に発信元の属性を容易に判別することができる。
【０００８】
また、本発明に係る通信装置は、光透過性の材質によって形成された複数のキー操作部と、前記複数のキー操作部の背後に各々設けられた複数の発光素子と、前記複数のキー操作部それぞれに発信元の属性が割り当てられ、着信時には発信元の属性に応じて前記複数の発光素子のいずれか１つを選択的に発光駆動する発光駆動手段と、を備えている。したがって、着信時に使用者が当該通信装置から離れている場合でも、どのキー操作部が点灯しているかによって発信元の属性を容易に判別することができる。
【０００９】
さらに、本発明に係る通信装置は、前記複数の発光素子の各発光素子は、単色で発光する単色発光素子である。単色発光素子は多色発光素子と比較して安価であるため、当該通信装置のコストを抑えることができる。
【００１０】
【発明の実施の形態】
以下、本発明に係る通信装置の実施の形態について図面を参照して説明する。
【００１１】
図１は、本発明に係る通信装置の一実施形態を示す全体斜視図である。同図に示すように、本実施形態の通信装置１は、コードレス電話の子機や携帯電話等であり、その上端部には親機または基地局と通信するためのアンテナ１１が設けられている。また、前面部には、キー１２や液晶表示部１３、発光部１４、送話口１５、受話口１６等が設けられている。
【００１２】
キー１２は、ダイヤルキーやオンフックキー、オフフックキー、電源キー等の複数の操作子からなる。また、液晶表示部１３には、発信番号や着信番号の他、電波状態やバッテリ状態等の情報を表示する。
【００１３】
発光部１４は、通信装置１の前面部の上部右隅部に設けられている。図２は、通信装置１が有する発光部１４の部分断面図である。同図に示すように、通信装置１の筐体１７には貫通孔からなる光出射窓１７ａが形成されており、筐体１７の内側には光出射窓１７ａと対向する位置に特許請求の範囲の多色発光素子に該当する多色ＬＥＤ１８が設けられている。筐体１７には、多色ＬＥＤ１８からの出射光が側方に漏れるのを防止する遮光リブ１７ｂが一体に形成されており、遮光リブ１７ｂと光出射窓１７ａとからなる部分に導光部材１９が嵌め付けて設けられている。なお、導光部材１９は、多色ＬＥＤ１８からの出射光を光出射窓１７ａへと導く働きをする。また、遮光リブ１７ｂは、多色ＬＥＤ１８が固定されている基板２０と筐体１７との間隔を一定に保つためのスペーサを兼ねている。
【００１４】
多色ＬＥＤ１８は、発光色が互いに異なる複数の単色ＬＥＤを備えており、特許請求の範囲の発光駆動手段に該当する制御回路（図示せず）によって発光駆動される。制御回路は、着信時にその発信元の属性が「発信元番号非通知」、「公衆電話」、「登録済み番号」の何れであるかを判別し、その判別結果に応じて、多色ＬＥＤ１８を構成している複数の単色ＬＥＤを選択的に発光させる。多色ＬＥＤ１８が発光することにより、光出射窓１７ａが点灯する。
【００１５】
以上説明したように、本実施形態の通信装置１によれば、着信時に発信元の属性に応じた発光色で多色ＬＥＤ１８を発光させる構成としたため、着信時に使用者が通信装置１から離れていても、多色ＬＥＤ１８がどの色で発光しているか、すなわち光出射窓１７ａの点灯色によって発信元の属性を容易に判別することができる。
【００１６】
なお、図３に示すように、キー１２を構成している少なくとも何れか１つのキー２１を光透過性の材質で形成し、キー２１の背後に多色ＬＥＤ１８を設けても良い。なお、筐体１７には、キー２１の周囲を囲むようにして遮光リブ２２が一体に形成されている。このように構成すれば、多色ＬＥＤ１８が発光することによりキー２１が点灯する。
【００１７】
したがって、着信時に使用者が通信装置１から離れている場合でも、特許請求の範囲のキー操作部に該当するキー２１の点灯色によって発信元の属性を容易に判別することができる。また、多色ＬＥＤ１８をオフフックキーやダイヤルキー等のバックライトと共用することができるため、図１に示した発光部１４を別途形成する必要がない。したがって、筐体１７のサイズを大きくすることなく、また発光素子の数を増やすことなく、上述の効果を得ることができる。
【００１８】
図４は、本発明に係る通信装置の他の実施形態を示す全体斜視図である。同図に示した実施形態では、キー１２のうち例えば「１」〜「３」の３つのダイヤルキー３１〜３３を光透過性の材質で形成し、これらのダイヤルキー３１〜３３の背後に特許請求の範囲の単色発光素子に該当する単色ＬＥＤ（図示せず）を各々設けている。そして、「１」のダイヤルキー３１には「発信元番号非通知」、「２」のダイヤルキー３２には「公衆電話」、「３」のダイヤルキー３３には「登録番号」といった具合に、各ダイヤルキーに発信元の属性が割り当てられている。
【００１９】
ダイヤルキー３１〜３３の背後に設けられた３つの単色ＬＥＤは、図示しない制御回路によって発光駆動される。制御回路は、着信時にその発信元の属性が「発信元番号非通知」、「公衆電話」、「登録済み番号」の何れであるかを判別し、その判別結果に応じて、３つの単色ＬＥＤの何れかを選択的に発光させる。単色ＬＥＤが発光することにより、ダイヤルキー３１〜３３が点灯する。
【００２０】
したがって、発信元の属性が割り当てられた３つのダイヤルキー３１〜３３の何れか一つが点灯するので、着信時に使用者が通信装置から離れていても、どのダイヤルキー（３１、３２または３３）が点灯したかによって発信元の属性を容易に判別することができる。また、発光素子として、多色ＬＥＤと比較して安価である単色ＬＥＤを使用することができるため、当該効果を安価な構成で得ることができる。
【００２１】
以上説明した実施形態では、多色発光素子として多色ＬＥＤを使用したが、これに代えて多色ＥＬライト、多色ＬＤ、多色蛍光ライト等を使用しても良い。また、複数のキーの背後に配置する発光素子としては、単色ＥＬライトや単色蛍光ライト等を使用しても良い。
【００２２】
【発明の効果】
以上説明したように、本発明に係る通信装置によれば、着信時に使用者が当該通信装置から離れている場合でも、どの色で多色発光素子が発光しているか、またはどのキー操作部が点灯しているかによって発信元の属性を容易に判別することができる。
【図面の簡単な説明】
【図１】本発明に係る通信装置の一実施形態を示す全体斜視図
【図２】図１に示す通信装置が有する発光部の部分断面図
【図３】図４に示す通信装置が有するキーの部分断面図
【図４】本発明に係る通信装置の他の実施形態を示す全体斜視図
【符号の説明】
１  通信装置
１２  キー
１３  液晶表示部
１４  発光部
１７ａ  光出射窓
１８  多色ＬＥＤ
１９  導光部材
２１  キー
３１〜３３  ダイヤルキー
【図１】
2004165795.tif 000003
【図２】
2004165795.tif 000004
【図３】
2004165795.tif 000005
【図４】
2004165795.tif 000006